(57)【要約】【課題】現場に設置済みの既設の制御盤から新規の制御盤に改修する際に、地震等の倒れ防止性能を確保した上で、現場での改修作業を従来よりも簡素化する。【解決手段】既設の制御盤が設置された床面と固定されている脚部、および脚部に固定されている支持部（２４）を残し、既設の制御盤に取り付けられている外装板、および既設の制御盤の内部に実装された部品を取り外す第１工程と、支持部のうち、脚部に固定されている根元部分を残し、根元部分以外を切断して除去する第２工程と、支持部の根元部分を流用し、新規の制御盤（１４、１６、１７、１８）を現場にて設置する第３工程とを有する。【選択図】図６
2016222360.tif 000002
【特許請求の範囲】
【請求項１】
現場に設置済みの既設の制御盤から新規の制御盤に改修するためのエレベータ制御盤の改修方法であって、
前記既設の制御盤が設置された床面と固定されている脚部、および前記脚部に固定されている支持部を残し、前記既設の制御盤に取り付けられている外装板、および前記既設の制御盤の内部に実装された部品を取り外す第１工程と、
前記支持部のうち、前記脚部に固定されている根元部分を残し、前記根元部分以外を切断して除去する第２工程と、
前記支持部の前記根元部分を流用し、前記新規の制御盤の支持部を前記根元部分に取り付け、前記新規の制御盤を現場にて設置する第３工程と
を有する、エレベータ制御盤の改修方法。
【請求項２】
前記第３工程は、
前記根元部分の切断面に対して前記新規の制御盤の支持部を取り付ける工程と、
前記脚部、および前記根元部分に取り付けられた前記新規の制御盤の支持部に対して、前記新規の制御盤の外装板を取り付けて前記新規の制御盤の筐体を完成させるとともに、前記新規の制御盤で使用する部品を前記筐体内に実装する工程と
を有する、エレベータ制御盤の改修方法。
【請求項３】
前記第３工程は、
前記新規の制御盤の支持部に対して、前記新規の制御盤の外装板を取り付けて前記新規の制御盤の筐体を完成させるとともに、前記新規の制御盤で使用する部品を前記筐体内に実装することで、改修する前記新規の制御盤を一体構成化する工程と、
前記根元部分の切断面に対して前記一体構成化された前記新規の制御盤の支持部を取り付ける工程と
を有する、エレベータ制御盤の改修方法。
【請求項４】
前記第３工程において、前記既設の制御盤の支持部の前記切断面が、パイプ形状を有している場合には、前記新規の制御盤で使用する支持部を、前記パイプ形状の中に差し込むことで取り付ける
請求項１から３のいずれか１項に記載のエレベータ制御盤の改修方法。
【請求項５】
前記第３工程において、前記既設の制御盤の支持部の前記切断面が、コの字形状を有している場合には、前記新規の制御盤で使用する支持部を、前記コの字形状に固定することで取り付ける
請求項１から３のいずれか１項に記載のエレベータ制御盤の改修方法。
【請求項６】
現場の床面に固定された既設の制御盤の脚部と、
前記脚部に固定されている前記既設の制御盤の支持部のうち、前記脚部に固定されている部分以外を切断して除去することで残った根元部分と、
前記根元部分に固定設置される新規の制御盤の支持部と、
前記新規の制御盤の支持部に対して取り付けられた前記新規の制御盤の外装板と、
前記新規の制御盤の前記支持部および前記外装板によって構成される筐体内に実装させた部品と
を備えるエレベータ制御盤。
【発明の詳細な説明】
【技術分野】
【０００１】
本発明は、現場に設置済みの既設の制御盤を新規の制御盤に改修する際のエレベータ制御盤の改修方法、および改修後のエレベータ制御盤に関する。
【背景技術】
【０００２】
エレベータ改修時には、機械室に新たに制御盤を設置する必要がある。このような改修作業を行うに当たっては、地震等に対する転倒防止として、新規の制御盤を強固に機械室に固定して設置する必要がある。
【０００３】
しかしながら、エレベータ新設時において、機械室の全面、ないし一部は、表面を仕上げるために、モルタル等により埋設されている。従って、新たな制御盤を機械室に強固に固定するためには、モルタル等を破壊し、制御盤を設置する面を仕上げてから、制御盤を床部にアンカー等で固定しなければならない。従って、改修作業が大がかりとなり、非常に手間がかかる。
【０００４】
これに対して、新規の制御盤を機械室壁に固定する方法もある（例えば、特許文献１参照）。このような固定方法を採用すれば、モルタル等を破壊し、制御盤を設置する面を仕上げてから、制御盤を床部にアンカー等で固定するといった作業をなくすことができる。
【先行技術文献】
【特許文献】
【０００５】
【特許文献１】実開昭６０−１３８３０３号公報
【発明の概要】
【発明が解決しようとする課題】
【０００６】
しかしながら、従来技術には、以下のような課題がある。
機械室壁が石膏パネル等の強度のないものであった場合には、地震等の倒れ防止性能が確保できず、特許文献１のような従来技術の構造を採用することはできなといった問題がある。従って、エレベータ改修時に、機械室に制御盤を固定する作業を容易化した上で、地震等の倒れ防止性能を持たせることが強く望まれている。
【０００７】
本発明は、前記のような課題を解決するためになされたものであり、現場に設置済みの既設の制御盤から新規の制御盤に改修する際に、地震等の倒れ防止性能を確保した上で、現場での改修作業を従来よりも簡素化することのできるエレベータ制御盤の改修方法およびエレベータ制御盤を得ることを目的とする。
【課題を解決するための手段】
【０００８】
本発明に係るエレベータ制御盤の改修方法は、現場に設置済みの既設の制御盤から新規の制御盤に改修するためのエレベータ制御盤の改修方法であって、既設の制御盤が設置された床面と固定されている脚部、および脚部に固定されている支持部を残し、既設の制御盤に取り付けられている外装板、および既設の制御盤の内部に実装された部品を取り外す第１工程と、支持部のうち、脚部に固定されている根元部分を残し、根元部分以外を切断して除去する第２工程と、支持部の根元部分を流用し、新規の制御盤の支持部を根元部分に取り付け、新規の制御盤を現場にて設置する第３工程とを有するものである。
【０００９】
また、本発明に係るエレベータ制御盤は、現場の床面に固定された既設の制御盤の脚部と、脚部に固定されている既設の制御盤の支持部のうち、脚部に固定されている部分以外を切断して除去することで残った根元部分と、根元部分に固定設置される新規の制御盤の支持部と、新規の制御盤の支持部に対して取り付けられた新規の制御盤の外装板と、新規の制御盤の支持部および外装板によって構成される筐体内に実装させた部品とを備えるものである。
【発明の効果】
【００１０】
本発明によれば、既設の制御盤の本体を支持している支持部の根元部分を流用し、新規の制御盤を固定できる構成を備えている。この結果、現場に設置済みの既設の制御盤から新規の制御盤に改修する際に、地震等の倒れ防止性能を確保した上で、現場での改修作業を従来よりも簡素化することのできるエレベータ制御盤の改修方法およびエレベータ制御盤を得ることができる。
【図面の簡単な説明】
【００１１】
【図１】既設の制御盤の取付状況を示す斜視図である。
【図２】既設の制御盤が最終的に機械室床面に設置された状況を示す斜視図である。
【図３】本発明の実施の形態１における新手順１を実行した状態を示す斜視図である。
【図４】本発明の実施の形態１における新手順２を実行した状態を示す斜視図である。
【図５】本発明の実施の形態１における新手順３を実行した状態を示す斜視図である。
【図６】本発明の実施の形態１における新手順４を実行した状態を示す斜視図である。
【図７】本発明の実施の形態２における支持部の切断面を示した図である。
【図８】本発明の実施の形態２における新規の支持部を、既存の支持部に締結した状態を示す斜視図である。
【発明を実施するための形態】
【００１２】
以下、本発明のエレベータ制御盤の改修方法およびエレベータ制御盤の好適な実施の形態につき図面を用いて説明する。
【００１３】
実施の形態１．
図１は、既設の制御盤の取付状況を示す斜視図である。図１に示した既設の制御盤２０は、その脚部２１を、アンカー２２で機械室床面に固定する構造をとっている。また、図２は、既設の制御盤が最終的に機械室床面に設置された状況を示す斜視図である。アンカー２２による固定後、制御盤の脚部２１は、図２に示すように、モルタル２３で埋めてしまう。
【００１４】
本発明は、このような図２の状態にある既設の制御盤２０に対して、新規の制御盤１０を取り付ける際に、既存の制御盤２０の部品を極力流用し、現地での据付作業の軽減を実現することを技術的特徴としている。そこで、このような技術的特徴に関して、従来の据付作業と本発明による据付作業を対比させながら、以下に説明する。
【００１５】
従来の据付作業においては、既設の制御盤２０から新規の制御盤１０に改修する際には、以下のような旧手順１〜旧手順３が必要であった。
（旧手順１）一度モルタル２３を剥がした後、アンカー２２を取り外し、既設の制御盤２０を撤去する。
（旧手順２）既設の制御盤２０を撤去した後、既設の制御盤２０を取り外した部分の機械室床面を仕上げ直す。
（旧手順３）仕上げ直した後の機械室床面に対して、新規の制御盤１０を新たなアンカー１２を用いて固定する。
【００１６】
これに対して、本発明では、以下の新手順により改修作業を実施しており、図面を用いながら、詳細に説明する。
（新手順１）まず始めに、既設の制御盤２０の外装板や、内部の基板等を取り外し、既設の制御盤２０の脚部２１、および支持部２４のみの状態にする。図３は、本発明の実施の形態１における新手順１を実行した状態を示す斜視図である。すなわち、既設の制御盤２０の脚部２１および支持部２４を流用することで、旧手順１、２を不要としている。
【００１７】
（新手順２）支持部２４の下端部である根元部分を流用することとし、残りの部分を切断する。図４は、本発明の実施の形態１における新手順２を実行した状態を示す斜視図である。図４においては、切断面２５が水平になるように支持部２４を切断し、根元部分を残した場合を例示している。
【００１８】
（新手順３）その後、切断面２５に対して、新規の制御盤１０の支持部１４を差し込む。図５は、本発明の実施の形態１における新手順３を実行した状態を示す斜視図である。図５においては、先の図４のＡ部に対応する部分の詳細が示されている。具体的には、切断面２５がパイプ形状を有する既設の制御盤２０の支持部２４の中に、新規の制御盤１０の支持部１４を差し込むことで、既設の制御盤２０の支持部２４と新規の制御盤１０の支持部１４からなる新たな支持部が形成される。
【００１９】
この際、既設の支持部２４の根元部分に、現地において穴あけ加工を実施し、既設の支持部２４の根元部分と、新規の支持部１４の一部とをボルト１等により締結することで、より強固に固定することも可能である。
【００２０】
（新手順４）その後、新規の制御盤１０の天板１６を含む外装板１７を取り付け、内部に基板１８ａや電装品１８ｂ等を取り付け、さらに、制御盤扉１９を組み立てる。図６は、本発明の実施の形態１における新手順４を実行した状態を示す斜視図である。ただし、図６においては、制御盤扉１９を取り付ける前の状態までを示している。
【００２１】
実施の形態１によれば、上述した新手順１〜新手順４により新規の制御盤１０を構成することで、以下の効果を得ることができる。
・新規の制御盤は、既設の制御盤における脚部、アンカー、モルタル、および支持部の根元部分を流用する構造を備えている。この結果、モルタルやアンカーを取り除く作業や、機械室床面を仕上げ直す作業をなくすことができ、現地での据付作業の軽減を図ることができる。さらに、既設の制御盤の部品流用による消費資源削減効果を得ることもできる。
【００２２】
・新規の制御盤は、既存の制御盤の支持部に対して、新規の支持部を強固に固定できる構造を備えている。この結果、新規の制御盤１０に対して十分な耐震性を持たせ、地震等の倒れ防止性能を確保した構造とすることができる。
【００２３】
・新規の制御盤は、支持部に対して新たに天板、制御盤扉を含む外装板を取り付けし、筐体を構成する構造を備えている。この結果、改修前後で、制御盤内の内容物が変わり、筐体の大きさを変えないといけない場合にも、容易に対応することができる。
【００２４】
実施の形態２．
本実施の形態２では、既存の支持部１４の切断面の形状が、先の実施の形態１とは異なる場合について説明する。
【００２５】
図７は、本発明の実施の形態２における支持部２４ａの切断面２５ａを示した図である。先の実施の形態１では、既存の支持部２４の切断面２５が、パイプ形状である場合について説明した。これに対して、本実施の形態２では、図７に示すように、既存の支持部２４ａの切断面２５ａが、コの字形状となっている。
【００２６】
このような場合にも、上述した新手順３と同様の手順を採用することができる。図８は、本発明の実施の形態２における新規の支持部１４ａを、既存の支持部２４ａに締結した状態を示す斜視図である。図８に示すように、コの字形状を有する新規の制御盤の支持部１４ａを、既設の支持部２４ａの内側に配し、ボルト１等で締結して両者を固定することで、同様の構造を得ることができる。
【符号の説明】
【００２７】
１  ボルト、１０  新規の制御盤、１４、１４ａ  支持部、１６  天板、１７  外装板、１８ａ  基板、１８ｂ  電装品、１９  制御盤扉、２０  既設の制御盤、２１  脚部、２２  アンカー、２３  モルタル、２４、２４ａ  支持部、２５、２５ａ  切断面。
【図１】
2016222360.tif 000003
【図２】
2016222360.tif 000004
【図３】
2016222360.tif 000005
【図４】
2016222360.tif 000006
【図５】
2016222360.tif 000007
【図６】
2016222360.tif 000008
【図７】
2016222360.tif 000009
【図８】
2016222360.tif 000010